(57)【要約】【課題】可動側電極棒は、気密を保ちながら動かす構造が採用されているため、製作時に取り付け箇所の気密状態を目視で確認する必要があり、作業性をよくするには、取り付け箇所を減らす必要がある。【解決手段】真空容器と、固定側電極を有し真空容器に支持された固定側電極棒と、固定側電極と接離可能な可動側電極を有する可動側電極棒と、この可動側電極棒を進退自在に貫挿する蛇腹部を有したベローズとを備え、蛇腹部には、この蛇腹部と同一部材で一体に形成された鍔状カバー部が設けられたものである。【選択図】図１
2010198841.tif 000002
【特許請求の範囲】
【請求項１】
真空容器と、固定側電極を有し上記真空容器に支持された固定側電極棒と、上記固定側電極と接離可能な可動側電極を有する可動側電極棒と、この可動側電極棒を進退自在に貫挿する蛇腹部を有したベローズとを備え、
上記蛇腹部には、この蛇腹部と同一部材で一体に形成された鍔状カバー部が設けられたことを特徴とする真空開閉器。
【請求項２】
上記鍔状カバー部の外径は、上記蛇腹部の外径より大きいことを特徴とする請求項１に記載の真空開閉器。
【請求項３】
上記鍔状カバー部の外周縁部は、上記蛇腹部を覆うよう折り曲げ延長したことを特徴とする請求項１または請求項２に記載の真空開閉器。
【請求項４】
上記真空容器の内壁には、上記両電極を囲むシールドを取り付けたことを特徴とする請求項１ないし請求項３のいずれか１項に記載の真空開閉器。
【発明の詳細な説明】
【技術分野】
【０００１】
この発明は、真空開閉器に関するものである。
【背景技術】
【０００２】
従来の真空開閉器においては、図３に示すように、アルミナセラミック等からなる絶縁筒１の両端部に、固定側端板２０及び可動側端板３０がそれぞれ封着部材２１、３１を介し、ろう付けにより接合され真空容器を形成している。固定側端板２０には固定側電極棒４が、可動側端板３０には可動側電極棒５がそれぞれ取り付けられている。固定側電極棒４及び可動側電極棒５には、互いに対向して配置された固定側電極７と可動側電極８がそれぞれ設けられている。可動側電極棒５と可動側端板３１の間には、ベローズ６０がろう付けにより接合され、気密を保ちながら可動側電極８の開閉を可能にしている。ベローズ６０は、ステンレス等の薄い金属で蛇腹状に製作されている。可動側電極側のベローズ６０端部には、電流遮断時に固定側電極７及び可動側電極８から発生する金属蒸気によってベローズ６０が汚損されることを防止するため、ベローズ表面を覆うベローズカバー６１が取り付けられている（特許文献１参照）。
【先行技術文献】
【特許文献】
【０００３】
【特許文献１】特開平７−２４９３５３号公報
【発明の概要】
【発明が解決しようとする課題】
【０００４】
特許文献１に示された従来の真空開閉器では、上述したように、可動側電極棒５とベローズ６０の間が例えばろう付け接合される取り付け構造が採用されている。しかしこの取り付け構造では、気密を保ちながら可動側電極棒５を動かすことを可能にするため、ろう付け後、可動側電極棒５、ベローズ６０及びベローズカバー６１の各接合部における、ろう材の回り具合、あるいは各取り付け構造部における気密状態などを目視で確認する必要があり、その目視確認箇所が多くなるので作業性が悪くなる問題があった。
この発明は、上記のような問題点を解決することを課題とするものであって、電流遮断時に固定側電極７及び可動側電極８から発生する金属蒸気によって、ベローズ６０が汚損されることを防止しつつ、部品点数を減らすことによって、取り付け構造部の目視確認箇所を少なくし、製作時の作業性を向上させることを目的とするものである。
【課題を解決するための手段】
【０００５】
この発明に係わる真空開閉器は、真空容器と、固定側電極を有し上記真空容器に支持された固定側電極棒と、上記固定側電極と接離可能な可動側電極を有する可動側電極棒と、この可動側電極棒を進退自在に貫挿する蛇腹部を有したベローズとを備え、上記蛇腹部には、この蛇腹部と同一部材で一体に形成された鍔状カバー部が設けられたものである。
【発明の効果】
【０００６】
上述のように、ベローズカバーとベローズとを一体構造とし、別体のベローズカバーを無くしたので、従来行われていたベローズカバーの接合作業が無くなり、取り付け箇所すなわち接合箇所及び目視確認箇所が少なくなることから、製作時の作業性を向上させることができる。また、接合箇所が少なくなることから、部品点数及び接合材の使用量を減らすことができ、安価な真空開閉器を提供することができる。
【図面の簡単な説明】
【０００７】
【図１】この発明の実施の形態１における真空開閉器を示す断面図である。
【図２】この発明の実施の形態２における真空開閉器を示す断面図である。
【図３】従来の真空開閉器の一例を示す断面図である。
【発明を実施するための形態】
【０００８】
以下、図面に基づいて、この発明の各実施の形態を説明する。
なお、各図間において、同一符号は同一あるいは相当部分を示す。
【０００９】
実施の形態１．
図１は、この発明の実施の形態１である真空開閉器を示す断面図である。
図１において、絶縁筒１は、円筒形のアルミナセラミック等で構成され、その両端部には、固定側端板２及び可動側端板３がそれぞれろう付けにより同軸上に取り付けられている。
真空容器Ｓは、絶縁筒１、固定側端板２、可動側端板３などにより構成され、絶縁筒１と固定側端板２、可動側端板３との組立は、主に銀系のろう材を使用して行われ、固定側端板２には固定側電極棒４がろう付けされ、また可動側端板３には可動側電極棒５がステンレスなどの薄い金属製筒状伸縮ベローズ６を介してろう付け接合されている。
【００１０】
固定側電極棒４の端部には、固定側電極７がろう付け接合され、また可動側電極棒５の端部には、可動側電極８がろう付け接合され、固定側電極７と可動側電極８とは互いに対向して配置されている。
なお、筒状伸縮ベローズ６は、可動側電極棒５を進退自在に貫挿するための蛇腹部６ａと、内側開口部６ｂと、外側開口部６ｃとを同一金属部材で一体成形することにより構成され、内側開口部６ｂを可動側電極棒５の段部にろう付けすると共に外側開口部６ｃを可動側端板３にろう付けすることにより、可動側電極棒５を真空容器Ｓ外に気密に貫通支持している。更に、可動側電極棒５は、樹脂ガイド１０により進退（移動）自在に案内され、この樹脂ガイド１０は、真空開閉器のろう付けによる組立完了後、ネジ等（図示せず）によって可動側端板３に取り付けられている。
【００１１】
また、ベローズ６の可動側電極８側の端部、すなわち内側開口部６ｂには、従来のベローズカバーの代わりに、蛇腹部６ａを覆うように、内側開口部６ｂの開口縁部から蛇腹部６ａの外径以上の大きさで外径方向に広がる伸長部すなわち鍔状カバー部６ｄが設けられている。この鍔状カバー部６ｄにより、電流遮断時、両電極７及び８のアーク領域で発生し飛散する金属蒸気を遮蔽し金属蒸気でベローズ表面が汚損されることを防止している。
【００１２】
また、固定側電極７及び可動側電極８を囲む位置には、絶縁筒１の内壁に固定された筒状シールド９が配設され、電流遮断時に絶縁筒１の内壁面が両電極７及び８から発生する金属蒸気により汚損されるのを防止している。
【００１３】
このように、従来のベローズカバーとベローズを鍔状カバー部６ｄで一体構造とし、ベローズカバーを無くすことによって、ろう付けの接合箇所及びろう回りの目視確認箇所が少なくなることから、製作時の作業性を向上させることができる。また、接合箇所が少なくなることから、ろう材量を減らすことができ、安価な真空開閉器を提供することができる。
【００１４】
実施の形態２．
図２は、この発明の実施の形態２である真空開閉器を示す断面図である。なお、実施の形態１と同一部分については説明を省略する。
図２において、ベローズ６の伸長部６ｄすなわち鍔状カバー部の外径は、実施の形態１と同様に蛇腹部６ａの外径以上の大きさに設定され、その外周部、すなわち鍔状カバー部６ｄの外周縁部は、蛇腹部６ａを覆うよう可動側端板３側に折り曲げ延長（伸長）され折り曲げ伸長部６ｅを設けた構造となっている。
このような構造とすることによって、電流遮断時に固定側電極７及び可動側電極８から発生する金属蒸気がベローズ６の側面に回りこむ場合でも、金属蒸気によってベローズ６が汚損されることを防止することができる。
【００１５】
また、従来のものは、図３に示すようにベローズカバーとベローズが別体であったがこの実施の形態２では、ベローズカバーとベローズとを一体構造とし、別体のベローズカバーを無くすことによって、ろう付けの接合箇所及びろう回りの目視確認箇所が少なくなることから、製作時の作業性を向上させることができる。更に、接合箇所が少なくなることから、ろう材量を減らすことができ、安価な真空開閉器を製作することができる。
【符号の説明】
【００１６】
１  絶縁筒                          ２  固定側端板
３  可動側端板                      ４  固定側電極棒
５  可動側電極棒                    ６  筒状伸縮ベローズ
６ａ  蛇腹部                      ６ｂ  内側開口部
６ｃ  外側開口部                  ６ｄ  鍔状カバー部
６ｅ  折り曲げ伸長部              ７  固定側電極
８  可動側電極                    ９  筒状シールド
１０  樹脂ガイド                  Ｓ  真空容器。
【図１】
2010198841.tif 000003
【図２】
2010198841.tif 000004
【図３】
2010198841.tif 000005